【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
プロセス制御プラントを動作させるためのシステムであって、
共通の形式を用いて、構成データ、計測データ、バッチデータ、連続データ、及びイベントデータから選択される複数のタイプのプロセスデータを含む、プロセスプラントに対応するプロセスデータを格納するように構成された、１つ以上のデータストレージデバイスを含むユニット式の論理データストレージ領域と、
ネットワークを介して前記ユニット式の論理データストレージ領域に通信可能に結合され、それぞれ制御機能、動作機能、構成機能、保守機能、データ解析機能、管理機能、品質制御機能、又はセキュリティ機能を行うための１つ以上の第１のルーチンを実行するように動作可能な、第１のユーザインターフェースデバイスと、
前記ネットワークを介して前記ユニット式の論理データストレージ領域に通信可能に結合され、前記第１のルーチンのうちの１つにそれぞれ対応する１つ以上の第２のルーチンを実行するように動作可能な、第２のユーザインターフェースデバイスと、
を備え、
前記第１のユーザインターフェースデバイスは、
前記第２のユーザインターフェースデバイスが、状態情報を受信すると、前記第１のユーザインターフェースデバイス上で動作する前記第１のルーチンのうちの１つ以上に対応する前記第２のルーチンのうちの１つ以上を実行するように、
前記第１のユーザデバイス上で動作する前記１つ以上の第１のルーチンを示す前記状態情報を前記第２のユーザインターフェースデバイスに渡すように動作可能である、
システム。
【請求項２】
前記第１のユーザインターフェースデバイスから前記第２のユーザインターフェースデバイスに前記状態情報を渡すことによって、システムが、
（ａ）異なるユーザ間の２つのユーザインターフェースデバイス上での協同、
（ｂ）前記２つのユーザインターフェースデバイスにわたる１人のユーザの移動性、
（ｃ）前記プロセスプラント内のユーザの場所のデバイスアウェアネス、
（ｄ）特定のプロセスプラント機器とのユーザ近接性のデバイスアウェアネス、
のうちの１つ以上を容易にする、
請求項１に記載のシステム。
【請求項３】
前記第１のユーザインターフェースデバイスから前記状態情報を受信すると、前記第２のユーザインターフェースデバイスが、前記状態情報と、前記第２のユーザインターフェースデバイスに関連するデバイスタイプとに従って、表示を構成する、請求項１または２に記載のシステム。
【請求項４】
前記状態情報が、
ポイントトゥポイント無線接続と、
中間ネットワークと、
中間サーバデバイス、
の少なくとも１つを介して、
前記第１のユーザインターフェースデバイスから前記第２のユーザインターフェースデバイスに直接渡される、請求項１〜３のいずれか一項に記載のシステム。
【請求項５】
前記第２のユーザインターフェースデバイスがモバイルデバイスであることと、
前記第１のユーザインターフェースデバイスがワークステーションまたはモバイルデバイスであること、
の少なくとも１つを満たす、
請求項１〜４のいずれか一項に記載のシステム。
【請求項６】
前記状態情報が、前記第１のユーザインターフェースデバイスから前記第２のユーザインターフェースデバイスに、
インターネット接続と、
Ｂｌｕｅｔｏｏｔｈ（登録商標）又はＷｉ−Ｆｉプロトコル
の少なくとも１つを介して渡される、請求項１〜５のいずれか一項に記載のシステム。
【請求項７】
場所アウェアネスコンポーネントをさらに備え、
前記第２のユーザインターフェースデバイスが、前記場所アウェアネスコンポーネントから信号を受信し、前記場所アウェアネスコンポーネントから受信した信号に従って前記１つ以上の第２のルーチンの実行を修正するように動作可能であることと、
前記場所アウェアネスコンポーネントが、前記第２のユーザインターフェースデバイスから信号を受信し、前記場所アウェアネスコンポーネントから受信した信号に従って前記１つ以上のルーチンの実行を前記第２のユーザインターフェースデバイスに前記ネットワークを介して修正させるように動作可能であること、
の少なくとも１つを満たす、
請求項１〜６のいずれか一項に記載のシステム。
【請求項８】
前記１つ以上のルーチンの実行を修正することが、
（ａ）前記第２のユーザインターフェースデバイスが存在する前記プロセスプラントの領域を強調表示すること、
（ｂ）前記第２のユーザインターフェースデバイスの所定の距離内の特定のデバイスについての情報を表示すること、
（ｃ）前記第２のユーザインターフェースデバイスが存在する前記プロセスプラントの領域におけるデバイスに該当するアラームを表示すること、
（ｄ）前記第２のユーザインターフェースデバイスが存在する前記プロセスプラントの領域におけるデバイスに関する作業項目を表示すること、
のうちの１つを含む、
請求項７に記載のシステム。
【請求項９】
機器アウェアネスコンポーネントをさらに備え、
前記第２のユーザインターフェースデバイスが、前記機器アウェアネスコンポーネントから信号を受信し、前記機器アウェアネスコンポーネントから受信した信号に従って前記１つ以上の第２のルーチンの実行を修正するように動作可能である、
請求項１〜８のいずれか一項に記載のシステム。
【請求項１０】
前記機器アウェアネスコンポーネントが、送信器に関連する機器を識別する無線信号を前記第２のユーザインターフェースデバイスに伝送する前記送信器を備える、請求項９に記載のシステム。
【請求項１１】
前記１つ以上のルーチンの実行を修正することが、
（ａ）前記受信した信号に関連するプロセスプラント機器をディスプレイ上に強調表示すること、
（ｂ）前記受信した信号に関連する特定のデバイスについての情報を前記第２のユーザインターフェースデバイス上に表示すること、
（ｃ）前記受信した信号に関連する前記デバイスに該当するアラームを表示すること、
（ｄ）前記受信した信号に関連する前記デバイスに関する作業項目を表示すること、
のうちの１つを含む、
請求項９に記載のシステム。
【請求項１２】
前記第１のユーザインターフェースデバイスと前記第２のユーザインターフェースデバイスが互いを相互に検出し、且つ同じユーザが両方の前記デバイスにログインされるときに、前記第１のユーザインターフェースデバイスが前記第２のユーザインターフェースデバイスに前記状態情報を渡すことと、
前記第１のユーザインターフェースデバイスが、前記第１のユーザインターフェースデバイスによる前記第２のユーザインターフェースデバイスに前記状態情報を渡す命令に応じて、前記状態情報を前記第２のユーザインターフェースデバイスに渡すこと、
の少なくとも１つを満たす、
請求項１〜１１のいずれか一項に記載のシステム。
【請求項１３】
プロセスプラントを動作させる方法であって、
第１のユーザインターフェースデバイス上で、プロセスプラントにおける機能を行うための、プロセスデータにアクセスするように動作可能な１つ以上の第１のルーチンを実行することと、
前記第１のユーザインターフェースデバイス上で実行する前記１つ以上の第１のルーチンの状態を追跡することと、
前記第１のユーザインターフェースデバイス上で実行する前記１つ以上の第１のルーチンの状態を格納することと、
前記第１のユーザインターフェースデバイス上で実行する前記１つ以上の第１のルーチンの格納した状態を第２のユーザインターフェースデバイスに伝達することと、
前記第２のユーザインターフェースデバイス上で、前記格納した状態に従って、前記１つ以上の第１のルーチンに対応する１つ以上の第２のルーチンを実行することと、
前記第２のユーザインターフェースデバイスを用いて、前記プロセスプラントにおける機能を行うこと、
を含む方法。
【請求項１４】
前記格納した状態を前記第２のユーザインターフェースデバイスに伝達することが、
（ａ）異なるユーザ間の２つのユーザインターフェースデバイス上での協同、
（ｂ）前記２つのユーザインターフェースデバイスにわたる１人のユーザの移動性、
（ｃ）前記プロセスプラント内のユーザの場所のデバイスアウェアネス、
（ｄ）特定のプロセスプラント機器とのユーザ近接性のデバイスアウェアネス、
のうちの１つ以上を容易にすることを含む、請求項１３に記載の方法。
【請求項１５】
前記格納した状態に従って及び前記第２のユーザインターフェースデバイスに関連するデバイスタイプに従って前記第２のユーザインターフェースデバイス上に表示を構成することをさらに含む、請求項１３又は１４に記載の方法。
【請求項１６】
前記格納した状態を前記第２のユーザインターフェースデバイスに伝達することが、前記格納した状態を、
ポイントトゥポイント無線接続と、
中間ネットワークと、
中間サーバデバイス、
の少なくとも１つを介して伝達することを含む、請求項１３〜１５のいずれか一項に記載の方法。
【請求項１７】
前記第２のユーザインターフェースデバイスがモバイルデバイスであることと、
前記第１のユーザインターフェースデバイスがワークステーションまたはモバイルデバイスであること、
の少なくとも１つを満たす、
請求項１３〜１６のいずれか一項に記載の方法。
【請求項１８】
特定のデバイス又は場所との前記第２のユーザインターフェースデバイスの近接性を示す信号を前記第２のユーザインターフェースデバイスで受信することと、
前記受信した信号に従って前記１つ以上の第２のルーチンの実行を修正することと、
をさらに含む、請求項１３〜１７のいずれか一項に記載の方法。
【請求項１９】
特定のデバイス又は場所との前記第２のユーザインターフェースデバイスの近接性を示す信号を前記前記第２のユーザインターフェースデバイスから場所アウェアネスコンポーネントに伝送することと、
前記伝送された信号に応答して、ネットワークを介して前記第２のユーザインターフェースデバイスに結合されたサーバから前記デバイス又は場所に特徴的な情報を受信することと、
をさらに含む、請求項１３〜１８のいずれか一項に記載の方法。
【請求項２０】
前記デバイス又は場所に近接しているときに前記第２のユーザインターフェースデバイス上で、
（ａ）前記第２のユーザインターフェースデバイスが存在する前記プロセスプラントの領域を強調表示する行為、
（ｂ）前記第２のユーザインターフェースデバイスの所定の距離内の特定のデバイスについての情報を表示する行為、
（ｃ）前記第２のユーザインターフェースデバイスが存在する前記プロセスプラントの領域におけるデバイスに該当するアラームを表示する行為、
（ｄ）前記第２のユーザインターフェースデバイスが存在する前記プロセスプラントの領域におけるデバイスに関する作業項目を表示する行為、
（ｅ）前記受信した信号に関連するプロセスプラント機器をディスプレイ上に強調表示する行為、
（ｆ）前記受信した信号に関連する特定のデバイスについての情報を前記第２のユーザインターフェースデバイス上に表示する行為、
（ｇ）前記受信した信号に関連する前記デバイスに該当するアラームを表示する行為、
（ｈ）前記受信した信号に関連する前記デバイスに関する作業項目を表示する行為、
のうちの１つを実施することをさらに含む、請求項１３〜１９のいずれか一項に記載の方法。
【請求項２１】
前記格納した状態を前記第２のユーザインターフェースデバイスに伝達することが、前記第２のユーザインターフェースデバイスによる前記第１のユーザインターフェースデバイスの検出時、又は前記第１のユーザインターフェースデバイスによる前記第２のユーザインターフェースデバイスの検出時に、前記格納した状態を伝達することを含むことと、
前記格納した状態を前記第２のユーザインターフェースデバイスに伝達することが、前記格納した状態を前記第２のユーザインターフェースデバイスに渡す命令を前記第１のユーザインターフェースデバイスで受信すると、前記格納した状態を伝達することを含むこと、
の少なくとも１つを満たす、
請求項１３〜２０のいずれか一項に記載の方法。